(57)【特許請求の範囲】
【請求項１】
温度検出手段及び圧力検出手段により検出された温度及び圧力に基づいて基準温度及び基準圧力における補正値を演算し、当該補正値と流量計測値とから前記基準温度及び基準圧力における流量値に補正する補正手段と、前記温度検出手段及び前記圧力検出手段により検出された検出値や前記補正手段により補正された流量値などの数値のうち、各操作スイッチの操作に応じた数値を表示器に表示させる表示切換手段とを有する流量補正装置において、
前記操作スイッチは、所定のキーをさし込んで切り換え操作されるキースイッチと、前記数値のうち何れの数値を前記表示器に表示させるかを選択するためのロータリスイッチとから構成され、
前記表示切換手段は、前記キースイッチに所定のキーが差し込まれて切り換え操作されている場合には、前記ロータリスイッチの操作位置により選択された数値及び当該数値の機能内容を示す文字を前記表示器に表示することを特徴とする流量補正装置。
【発明の詳細な説明】
【０００１】
【発明の属する技術分野】
本発明は流量補正装置に係り、特に流量計により計測された流量計測値を温度及び圧力に応じて補正すると共に測定値あるいは補正値などの数値を表示器に表示させるよう構成された流量補正装置に関する。
【０００２】
【従来の技術】
例えば都市ガスを各家庭及び工場等に給送する配管途中には、被測流体としての都市ガス（以下「ガス」という）の供給量を計測するため、容積式流量計が配設されている。この容積式流量計では、楕円歯車あるいはまゆ形に形成された一対の回転子が流量に比例して回転するように設けられているので、この回転子の回転数を回転検出センサにより検出して回転数に応じた周波数のパルスを出力するようになっている。従って、上記パルス数を積算することによりガス供給量が計測される。
【０００３】
ところが、ガスのように温度変化や圧力変化によって容積が変化する被測流体の流量を計測する場合、温度センサにより検出された温度及び圧力センサにより検出された圧力に基づいて、流量計測値を基準温度及び基準圧力における流量に補正する必要がある。そのため、上記のようにガスの流量を計測する流量計には、そのときの温度及び圧力に応じて流量計測値を補正する流量補正装置が設けられている。
【０００４】
そして、従来の流量補正装置では、温度センサ及び圧力センサにより検出された温度データ及び圧力データを所定のサンプリング時間間隔で読み込み、流量計測値をこの温度データ及び圧力データに基づいて補正している。
また、上記流量計が現場設置型の場合、電源が乾電池等のバッテリを使用する構成であり、例えば図９に示されるように、流量補正装置１はハウジング２の前面に液晶ディスプレイ（ＬＣＤ）よりなる液晶表示器３が設けられ、液晶表示器３の下方にはバッテリ収納部４（図９では隠れて見えない）を閉蓋する蓋５が設けられている。この蓋５は右側に設けられた蝶番５ａにより開閉可能に支持されており、蓋５の前面には、キー付きハンドル６と押し釦スイッチ７とが配設されている。
【０００５】
そして、バッテリ収納部４の内部には、バッテリ（図示せず）と液晶表示器３に表示される数値の内容を切り換える表示モード切換スイッチ（図９では蓋５に隠れて見えないので図示せず）が配設されている。この表示モード切換スイッチは、ロータリスイッチよりなり、各回動角度位置により液晶表示器３に表示される数値の表示内容を切り換えられるようになっている。また、表示モード切換スイッチの周辺には、初めて操作する作業者でも操作方法が分かるように各回動角度位置に操作した場合の機能内容（例えば、温度圧力補正積算値、非補正積算値、温度値、圧力値等）が記載された銘板が設けられている。
【０００６】
【発明が解決しようとする課題】
従来の流量補正装置では、表示モード切換スイッチを操作して液晶表示器３に表示される数値の表示内容を切り換える場合には、キー付きハンドル６のレバーを回動させてバッテリ収納部４の蓋５を開いて表示モード切換スイッチを露出させてから機能内容（例えば、温度圧力補正積算値、非補正積算値、温度値、圧力値等）が記載された銘板に合わせて表示モード切換スイッチを回動操作していた。
【０００７】
ここで、バッテリ収納部４の蓋５を無くした場合、表示モード切換スイッチはハウジング２の前面に配設されることになるが、表示モード切換スイッチの操作位置に対応した機能内容を示す銘板も装置前面に設けられることになる。本来、液晶表示器３に表示される数値は、予めガス会社から委託された係員などが点検を行なう際に確認するためのものであり、何の関係の無い者が数値やその機能内容を液晶表示器３で勝手に見ることができないようにし、かつ、液晶表示器３の表示の切換操作をできないようにすることが望ましい。
【０００８】
しかし、上述のようにハウジング２の前面に表示モード切替スイッチを設け、表示モード切換スイッチの回動角度位置に対応する機能内容が記載された銘板をハウジング２の前面に配設した場合、液晶表示器３にどのような機能内容の数字が表示されるのかが銘板を見れば何の関係の無い第三者にも分かってしまうという問題が生じる。
そこで、本発明は上記問題を解決した流量補正装置を提供することを目的とする。
【０００９】
【課題を解決するための手段】
上記課題を解決するため、本発明は以下のような構成としたことを特徴とする。
本発明は、流量計測値を温度検出手段及び圧力検出手段により検出された温度及び圧力に基づいて基準温度及び基準圧力における補正値を演算し、当該補正値と流量計測値とから前記基準温度及び基準圧力における流量値に補正する補正手段と、前記温度検出手段及び前記圧力検出手段により検出された検出値や前記補正手段により補正された流量値などの数値のうち、各操作スイッチの操作に応じた数値を表示器に表示させる表示切換手段とを有する流量補正装置において、
前記操作スイッチは、所定のキーをさし込んで切り換え操作されるキースイッチと、前記数値のうち何れの数値を前記表示器に表示させるかを選択するためのロータリスイッチとから構成され、
前記表示切換手段は、前記キースイッチに所定のキーが差し込まれて切り換え操作されている場合には、前記ロータリスイッチの操作位置により選択された数値及び当該数値の機能内容を示す文字を前記表示器に表示することを特徴とする。
【００１０】
従って、本発明によれば、キースイッチに所定のキーが差し込まれて切り換え操作されている場合には、ロータリスイッチの操作位置により選択された数値及び当該数値の機能内容を示す文字が表示器に表示されるため、キー付きスイッチの操作位置及びロータリスイッチの操作位置と操作した者だけが当該ロータリスイッチの操作位置に応じた数値及びその機能内容を表示器に表示させて確認することができ、さらに第三者がロータリスイッチを見てもその操作位置で表示される機能が分からないので、ロータリスイッチが悪戯に操作されることも防止できる。
【００１１】
【発明の実施の形態】
以下、図面と共に本発明になる流量補正装置の一実施例について説明する。
図１は流量補正装置を示す正面図、図２は流量補正装置の側面図である。
流量補正装置１１は、例えば容積式流量計１２と共に都市ガスを給送する配管（図示せず）途中に設けられ、配管内を流れるガスの流量を計測するように構成されている。容積式流量計１２は流量に比例した回転数で回転するまゆ形の回転子（図示せず）を有するルーツ式の容積式流量計であり、回転子の回転に応じてリードスイッチ１３が閉成して流量パルスを出力するように構成されている。また、容積式流量計１２の流路には被測流体の圧力を検出する検出口（図示せず）が設けられ、この検出口に接続された管路（図示せず）を介して流路圧力が流量補正装置１１内部の圧力センサ１４に導入される。また、流量補正装置１１の外部には温度センサ１５が設けられている。
【００１２】
流量補正装置１１は、箱型のハウジング１６の前面にカバー１７がネジ止めされており、カバー１７の前面にはハウジング１６内に設けられた液晶ディスプレイ（ＬＣＤ）よりなる液晶表示器１８に対向する表示窓１９が設けられている。また、カバー１７の前面には、キーを差し込んで切り換え操作されるキースイッチ２０と、レバー２１ａを回動操作して切り換え操作されるロータリスイッチ２１と、液晶表示器１８を表示させる押し釦スイッチ２２とが配設されている。ロータリスイッチ２１の外周の周囲には、回動操作位置を目視できるように「０」〜「１１」の数字が目盛りとして設けられている。
【００１３】
本実施例では、上記キースイッチ２０、ロータリスイッチ２１、押し釦スイッチ２２の各スイッチを単独で操作しても液晶表示器１８の表示を切り換えることができず、後述するように各スイッチ操作の組み合わせにより所定の表示に切り換えることができるようになっている。すなわち、キースイッチ２０用のキーを持たず各スイッチ２０〜２２の組み合わせによる表示機能を知らない第三者は各スイッチ２０〜２２をみただけでは液晶表示器１８の表示の切換方法が分からず、キーを持たない作業者以外の第三者は液晶表示器１８の表示を切り換えることはできない。
【００１４】
また、本実施例においては、キースイッチ２０がオフの状態のときは、ロータリスイッチ２１の操作が無効にされ、押し釦スイッチ２２が押圧操作されると液晶表示器１８に温度圧力補正値が表示される。また、キースイッチ２０がオン１に操作されたときは「表示モード」が設定され、キースイッチ２０がオン２に操作されたときは「検査モード」が設定される。
【００１５】
上記表示モード又は検査モードが設定された状態でロータリスイッチ２１が回動操作されると、ロータリスイッチ２１の回動操作位置に応じた表示内容が液晶表示器１８に表示される。また、検査モード状態でロータリスイッチ２１が「８」の位置に設定され、且つ押し釦スイッチ２２が２０秒以上押圧操作されると、液晶表示器１８の表示がリセットされる。
【００１６】
そして、流量補正装置１１の下面には、容積式流量計１２から引き出されたケーブル２３が接続されている。従って、容積式流量計１２に設けられたリードスイッチ１３から出力された信号は、ケーブル２３を介して流量補正装置１１に入力される。また、流量補正装置１１の側面には、容積式流量計１２内の流路圧力を圧力センサ１４に供給するための管路（図示せず）が接続される圧力導入部２４が設けられている。
【００１７】
そのため、流量補正装置１１は、容積式流量計１２に設けられたリードスイッチ１３から出力された流量パルスを積算して流量を演算すると共に、所定のサンプリング時間毎に温度センサ１５及び圧力センサ１４から読み込まれた温度データ、圧力データに基づいて流量計測値に対する温度補正、圧力補正の演算を行う。
【００１８】
図３は流量補正装置１１の構成を示すブロック図である。
流量補正装置１１は、ハウジング１６内に取り付けられた制御基板２５を有する。制御基板２５には、液晶表示器１８と、圧力センサ１４から出力された圧力検出データをデジタル信号に変換する圧力回路用のＡ／Ｄ変換器２６と、温度センサ１５から出力された温度検出データをデジタル信号に変換する温度回路用のＡ／Ｄ変換器２７と、流量計測値に対する温度補正、圧力補正の演算を行う制御回路２８とが配設されている。
【００１９】
また、制御回路２８のメモリ２９には、リードスイッチ１３、圧力センサ１４、温度センサ１５から出力された各計測値や補正演算された演算値等の各数値を液晶表示器１８に表示させると共に、表示される数値の機能内容を液晶表示器１８に表示させる制御プログラムが格納されている。
【００２０】
さらに、制御回路２８のメモリ２９には、流量パルスを積算して流量を演算する流量演算プログラムと、所定のサンプリング時間毎に温度センサ１５及び圧力センサ１４から読み込まれた温度、圧力に基づいて演算された温度・圧力補正係数により流量計測値の温度・圧力補正の演算を行う温度・圧力補正プログラムとが格納されている。そのため、制御回路２８は、流量計測時、上記流量演算プログラム及び温度・圧力補正プログラムに基づいて流量計測値の温度・圧力補正処理を実行する。そして、制御回路２８は、補正後の流量計測値を出力すると共に、補正された流量計測値を液晶表示器１８に表示する。
【００２１】
上記制御基板２５には、寿命の長いリチウム電池よりなるバッテリ３０から電源供給されている。
被測流体としてのガスは、気体であるため温度や圧力を変えることにより体積が変化する。この温度・圧力の変化に対するガスの体積の変化割合は、ボイル・シャルルの法則により決まる。流量補正装置１１は、この法則に従って温度センサ１５及び圧力センサ１４から出力された温度・圧力信号より補正係数を求め、その補正係数を流量信号に乗ずることで基準状態での体積を演算する。
【００２２】
この補正係数は、次式（１）のように表せる。
ＫTP＝（273.2+Ｔb ／273.2+Ｔ）・（1.033+Ｐ／ 1.033+ Ｐb ）…（１）
ここで、ＫTPは基準温度及び基準圧力に対する補正係数、Ｔはガスの温度〔°Ｃ〕、Ｔb は基準温度〔°Ｃ〕、Ｐはガスの圧力〔kgf/cm2G ]、Ｐb は基準圧力〔kgf/cm2G ]である。
【００２３】
また、温度又は圧力のいずれか一方の補正を行う場合には、一方を基準状態として演算すれば良いので、次式（２）（３）のように表せる。
ＫT ＝273.2+Ｔb ／273.2+Ｔ      …（２）
ＫP ＝1.033+Ｐ／ 1.033+ Ｐb     …（３）
ここで、ＫT は基準温度に対する補正係数、ＫP 基準圧力に対する補正係数である。
【００２４】
ここで、上記制御回路２８が実行する流量計測処理につき説明する。尚、図４は制御回路２８が実行するメインフローチャートである。また、図４に示す流量計測処理は所定の時間間隔（例えば、０．０５msec毎）に繰り返し実行されており、制御回路２８は被測流体の温度・圧力に応じた温度・圧力補正を逐次行っている。
【００２５】
制御回路２８は、ステップＳ１（以下、「ステップ」を省略する）において、リードスイッチ１３から出力されたパルス信号（流量に比例して回転する回転子の回転検出信号）を整数の計測単位（例えばリットルに対応する整数）に換算する。
【００２６】
続いて、メモリ２９に記憶された圧力補正係数ＫP を読み込む（Ｓ２）。さらに、次のＳ３では、メモリ２９に記憶された温度補正係数ＫT を読み込む。
次にＳ１で整数の計測単位に換算した流量計測値を、上記Ｓ２，Ｓ３で得られた圧力補正係数ＫP 及び温度補正係数ＫT により乗算して基準温度及び基準圧力に対する流量を算出する（Ｓ４）。
【００２７】
そして、次のＳ５では、Ｓ４で補正した計測値を出力回路（図示せず）及び液晶表示器１８に出力する。
このように、制御回路２８は、圧力補正係数ＫP 及び温度補正係数ＫT により流量計測値を補正するため、流量計測値を正確に補正することができる。
【００２８】
次に本発明の要部である流量補正装置１１の制御回路２８が実行する液晶表示器１８の表示切換処理につき説明する。尚、図５及び図６は制御回路２８が実行する表示切換処理のフローチャートであり、図７及び図８は液晶表示器１８に表示される表示モード及び検査モードの表示パターンの一例を示す。
【００２９】
制御回路２８は、電源スイッチ（図示せず）がオンに操作されると、ステップＳ１１（以下「ステップ」を省略する）で液晶表示器１８の表示をイニシャル表示とする。このイニシャル表示では、液晶表示器１８の各セグメントを全て「０」から「Ｆ」に切り換えてチェックを行う。次のＳ１２では、キースイッチ２０がオン１に操作されて「表示モード」が設定されているか否かを判定する。そして、キースイッチ２０が「表示モード」の位置にないときは、Ｓ１３に進み、キースイッチ２０がオン２に操作されたときは「検査モード」が設定されているか否かを判定する。
【００３０】
Ｓ１３において、「検査モード」が設定されていないときは、Ｓ１４に進み、押し釦スイッチ２２が押圧操作された否かを判定する。Ｓ１４で押し釦スイッチ２２がオフのときは、上記Ｓ１２に戻り、再度Ｓ１２〜Ｓ１４の処理を実行する。また、Ｓ１４において、押し釦スイッチ２２がオンのときは、Ｓ１５に進み液晶表示器１８に温度圧力補正値を表示させる。そして、Ｓ１６で５秒間経過するまで温度圧力補正値が液晶表示器１８に表示され、５秒間経過すると、再びＳ１２に戻ってＳ１２以降の処理を実行する。
【００３１】
また、上記Ｓ１３において、「検査モード」が設定されているときは、Ｓ１７に移行してロータリスイッチ２１が目盛り「８」の位置に回動操作されているか否かを判定する。Ｓ１７でロータリスイッチ２１が目盛り「８」の位置に回動操作されている場合には、Ｓ１８に進み、押し釦スイッチ２２が２０秒以上オンに操作されているか否かを判定する。そして、Ｓ１８で押し釦スイッチ２２が２０秒以上オンに操作された場合には、Ｓ１９に進み、各種積算値を全てクリアし、前述したイニシャル処理( Ｓ１１）に移行する。
【００３２】
また、Ｓ１７でロータリスイッチ２１が目盛り「８」の位置に回動操作されていない場合、あるいはＳ１８で押し釦スイッチ２２が２０秒以上オンに操作されない場合には、後述するＳ２０に移行する。
また、上記Ｓ１２でキースイッチ２０が「表示モード」の位置にあるときは、Ｓ２０に移行してロータリスイッチ２１の回動操作位置に応じた表示モードを設定する。このＳ２０では、ロータリスイッチ２１が目盛り「０」の位置に回動操作されているか否かを判定しており、ロータリスイッチ２１が目盛り「０」の位置にあるときは、Ｓ２１に移行して表示モードの「温圧積算値」（図７の表示例を参照のこと）を液晶表示器１８に表示させる。この後は前述したＳ１２に戻る。
【００３３】
また、Ｓ２０でロータリスイッチ２１が目盛り「０」の位置に回動操作されていない場合には、Ｓ２２に移行してロータリスイッチ２１が目盛り「１」の位置に回動操作されているか否かを判定する。Ｓ２２でロータリスイッチ２１が目盛り「１」の位置にあるときは、Ｓ２３に移行して表示モードの「非補正積算値」（図７の表示例を参照のこと）を液晶表示器１８に表示させる。この後は前述したＳ１２に戻る。
【００３４】
また、Ｓ２２でロータリスイッチ２１が目盛り「１」の位置に回動操作されていない場合には、Ｓ２４に移行してロータリスイッチ２１が目盛り「２」の位置に回動操作されているか否かを判定する。Ｓ２４でロータリスイッチ２１が目盛り「２」の位置にあるときは、Ｓ２５に移行して表示モードの「温度値（°Ｃ）」（図７の表示例を参照のこと）を液晶表示器１８に表示させる。この後は前述したＳ１２に戻る。
【００３５】
また、Ｓ２４でロータリスイッチ２１が目盛り「２」の位置に回動操作されていない場合には、Ｓ２６に移行してロータリスイッチ２１が目盛り「３」の位置に回動操作されているか否かを判定する。Ｓ２６でロータリスイッチ２１が目盛り「３」の位置にあるときは、Ｓ２７に移行して表示モードの「圧力値（ＭＰa ）」（図７の表示例を参照のこと）を液晶表示器１８に表示させる。この後は前述したＳ１２に戻る。
【００３６】
また、Ｓ２６でロータリスイッチ２１が目盛り「３」の位置に回動操作されていない場合には、Ｓ２８に移行してロータリスイッチ２１が目盛り「４」の位置に回動操作されているか否かを判定する。Ｓ２８でロータリスイッチ２１が目盛り「４」の位置にあるときは、Ｓ２９に移行して表示モードの「圧力値（kgf/cm2 ）」（図７の表示例を参照のこと）を液晶表示器１８に表示させる。この後は前述したＳ１２に戻る。
【００３７】
また、Ｓ２８でロータリスイッチ２１が目盛り「４」の位置に回動操作されていない場合には、Ｓ３０に移行してロータリスイッチ２１が目盛り「５」の位置に回動操作されているか否かを判定する。Ｓ３０でロータリスイッチ２１が目盛り「５」の位置にあるときは、Ｓ３１に移行して表示モードの「温度補正積算値」（図７の表示例を参照のこと）を液晶表示器１８に表示させる。この後は前述したＳ１２に戻る。
【００３８】
また、Ｓ３０でロータリスイッチ２１が目盛り「５」の位置に回動操作されていない場合には、Ｓ３２に移行してロータリスイッチ２１が目盛り「６」の位置に回動操作されているか否かを判定する。Ｓ３２でロータリスイッチ２１が目盛り「６」の位置にあるときは、Ｓ３３に移行して表示モードの「圧力補正積算値」（図８の表示例を参照のこと）を液晶表示器１８に表示させる。この後は前述したＳ１２に戻る。
【００３９】
また、Ｓ３２でロータリスイッチ２１が目盛り「６」の位置に回動操作されていない場合には、Ｓ３４に移行してロータリスイッチ２１が目盛り「７」の位置に回動操作されているか否かを判定する。Ｓ３４でロータリスイッチ２１が目盛り「７」の位置にあるときは、Ｓ３５に移行して表示モードの「内部設定コード」（図８の表示例を参照のこと）を液晶表示器１８に表示させる。この後は前述したＳ１２に戻る。
【００４０】
また、Ｓ３４でロータリスイッチ２１が目盛り「７」の位置に回動操作されていない場合には、Ｓ３６に移行してロータリスイッチ２１が目盛り「８」の位置に回動操作されているか否かを判定する。Ｓ３６でロータリスイッチ２１が目盛り「８」の位置にあるときは、前述したＳ１８に移行して押し釦スイッチ２２が２０秒以上オンに操作されているか否かを判定する。そして、Ｓ１８で押し釦スイッチ２２が２０秒以上オンに操作された場合には、Ｓ１９に進み、各種積算値を全てクリアし、前述したイニシャル処理( Ｓ１１）に移行する。
【００４１】
また、Ｓ３６でロータリスイッチ２１が目盛り「８」の位置に回動操作されていない場合には、Ｓ３７に移行してロータリスイッチ２１が目盛り「９」の位置に回動操作されているか否かを判定する。Ｓ３７でロータリスイッチ２１が目盛り「９」の位置にあるときは、Ｓ３８に移行して表示モードの「最終パルス出力経過時間」（図８の表示例を参照のこと）を液晶表示器１８に表示させる。この後は前述したＳ１２に戻る。
【００４２】
また、Ｓ３７でロータリスイッチ２１が目盛り「９」の位置に回動操作されていない場合には、Ｓ３９に移行してロータリスイッチ２１が目盛り「１０」の位置に回動操作されているか否かを判定する。Ｓ３９でロータリスイッチ２１が目盛り「１０」の位置にあるときは、Ｓ４０に移行して表示モードの「エラー発生後経過時間」（図８の表示例を参照のこと）を液晶表示器１８に表示させる。この後は前述したＳ１２に戻る。
【００４３】
また、Ｓ３９でロータリスイッチ２１が目盛り「１０」の位置に回動操作されていない場合には、Ｓ４１に移行してロータリスイッチ２１が目盛り「１１」の位置に回動操作されているか否かを判定する。Ｓ４１でロータリスイッチ２１が目盛り「１１」の位置にあるときは、Ｓ４２に移行して表示モードの「エラーコード」（図８の表示例を参照のこと）を液晶表示器１８に表示させる。この後は前述したＳ１２に戻る。
【００４４】
また、Ｓ４１でロータリスイッチ２１が目盛り「１１」の位置に回動操作されていない場合には、Ｓ４３に移行して電源がオフの状態であるか否かを判定する。そして、Ｓ４３で電源がオフの状態である場合には、一連の表示制御処理を終了する。しかし、電源がオンの場合には、前述したＳ１２に戻り、Ｓ１２以降の処理を繰り返す。
【００４５】
このように、キースイッチ２０とロータリスイッチ２１の回動操作位置との組み合わせにより液晶表示器１８に表示できる機能を選択的に切り換えることができるため、カバー１７の前面にキースイッチ２０、ロータリスイッチ２１、押し釦スイッチ２２が配設されているにも拘わらず、キースイッチ２０に差し込むべきキーを持たない第三者が液晶表示器１８の表示内容を勝手に切換操作することができず、第三者によるいたずらを防止できる。
【００４６】
また、ロータリスイッチ２１の周辺には、回動位置を識別するための番号しか記載されていないので、ロータリスイッチ２１の回動位置がどの表示内容を示すのか外観上全く分からず、液晶表示器１８の表示を見て初めて表示内容を認識することができる。そのため、第三者がカバー１７の前面に設けられたキースイッチ２０、ロータリスイッチ２１、押し釦スイッチ２２をみても表示された表示内容を知ることができない。
【００４７】
尚、上記実施例では、まゆ形回転子が組み込まれた容積式流量計１２を一例として挙げたが、これに限らず、例えば容積式流量計以外の構成とされた流量計により計測された流量計測値を補正する流量補正装置にも適用することができるのは勿論である。
【００４８】
また、上記実施例では、流量補正装置１１が容積式流量計１２に組み込まれた構成としたが、これに限らず、例えば容積式流量計１２とは別体に設けられた流量補正装置にも適応することができるのは勿論である。
また、上記実施例では、液晶表示器１８に温度圧力補正積算値、非補正積算値、温度値、圧力値等のデータが表示されるものとして説明したが、これに限らず、液晶式以外のディスプレイを使用する構成の装置にも適用することができるのは勿論である。
【００４９】
【発明の効果】
上述の如く、本発明によれば、キースイッチに所定のキーが差し込まれて切り換え操作されている場合には、ロータリスイッチの操作位置により選択された数値及び当該数値の機能内容を示す文字が表示器に表示されるため、キー付きスイッチの操作位置及びロータリスイッチの操作位置を操作した者だけが当該ロータリスイッチの操作位置に応じた数値及びその機能内容を表示器に表示させて確認することができ、さらに第三者が各スイッチを見ても表示器の切換方法や表示器に表示される数値とその機能内容とが分からない。よって、キースイッチ及びロータリスイッチを装置前面に配設したことにより生じうる、第三者による勝手なロータリスイッチの操作などのいたずらを防止できる。
【図面の簡単な説明】
【図１】本発明になる流量補正装置の一実施例の正面図である。
【図２】流量補正装置の側面図である。
【図３】流量補正装置の構成を示すブロック図である。
【図４】制御回路が実行する流量計測処理を説明するためのフローチャートである。
【図５】制御回路が実行する表示切換処理のフローチャートである。
【図６】図５の処理に続いて実行される表示切換処理のフローチャートである。
【図７】液晶表示器に表示される表示モード及び検査モードの表示パターンの一例を示す。
【図８】液晶表示器に表示される表示モード及び検査モードの表示パターンの一例を示す。
【図９】従来の流量補正装置の正面図である。
【符号の説明】
１１  流量補正装置
１２  容積式流量計
１３  リードスイッチ
１４  圧力センサ
１５  温度センサ
１６  ハウジング
１８  液晶表示器
２０  キースイッチ
２１  ロータリスイッチ
２２  押し釦スイッチ
２８  制御回路
【図１】
0003679174.tif 000002
【図２】
0003679174.tif 000003
【図３】
0003679174.tif 000004
【図４】
0003679174.tif 000005
【図５】
0003679174.tif 000006
【図６】
0003679174.tif 000007
【図７】
0003679174.tif 000008
【図８】
0003679174.tif 000009
【図９】
0003679174.tif 000010